(57)【特許請求の範囲】
【請求項１】
回動可能な複数の指針と、
当該複数の指針を回動させる指針動作制御手段と、
世界の各地におけるタイムゾーンと夏時間実施情報とを含む地方時設定を記憶する地方時設定記憶手段と、
現在位置を取得する現在位置取得手段と、
前記取得された現在位置に応じた地方時設定を前記地方時設定記憶手段から読み出して取得する地方時設定取得手段と、
タイムゾーンを選択設定するタイムゾーン設定手段と、
地方時を計数する計時手段と、
を備え、
前記計時手段は、前記地方時設定取得手段による地方時設定の取得と、前記タイムゾーン設定手段によるタイムゾーンの選択設定とのうち、より直近になされたものに基づいて地方時を計数し、
前記指針動作制御手段は、計数されている地方時が現在位置に応じて取得された地方時設定に基づくものであるか否かに係る地方時判別結果に基づく表示を前記複数の指針のうちの少なくとも一部により行わせる
ことを特徴とするアナログ電子時計。
【請求項２】
前記指針動作制御手段は、前記計時手段により計数されている地方時が属するタイムゾーンの表示を前記複数の指針のうちの少なくとも一部により行わせることを特徴とする請求項１記載のアナログ電子時計。
【請求項３】
前記指針動作制御手段は、前記地方時判別結果に基づく表示と前記タイムゾーンの表示とを異なる指針により同時に行わせることを特徴とする請求項２記載のアナログ電子時計。
【請求項４】
ユーザ操作を受け付ける操作受付手段を備え、
前記計時手段は、第１地方時と第２地方時とをそれぞれ計数し、
前記指針動作制御手段は、前記第１地方時と前記第２地方時の各々についてなされた地方時設定の取得及びタイムゾーンの選択設定にそれぞれ応じて前記地方時判別結果に基づく表示を行わせる
ことを特徴とする請求項１〜３の何れか一項に記載のアナログ電子時計。
【請求項５】
前記操作受付手段への所定の入力操作に応じて前記第１地方時に係る地方時設定と前記第２地方時に係る地方時設定とを入れ替える設定入替手段を備えることを特徴とする請求項４記載のアナログ電子時計。
【請求項６】
前記現在位置取得手段は、
測位衛星からの電波を受信する衛星電波受信手段と、
受信された前記測位衛星からの電波に基づいて現在位置を算出する測位手段と、
を備えることを特徴とする請求項１〜３の何れか一項に記載のアナログ電子時計。
【請求項７】
前記現在位置取得手段は、
測位衛星からの電波を受信する衛星電波受信手段と、
受信された前記測位衛星からの電波に基づいて現在位置を算出する測位手段と、
を備え、
前記地方時設定取得手段は、前記測位手段により算出された現在位置が取得された場合には、前記第１地方時に係る地方時設定を当該取得された現在位置に応じて更新する
ことを特徴とする請求項４又は５記載のアナログ電子時計。
【請求項８】
前記タイムゾーン設定手段は、前記操作受付手段により受け付けられた操作内容に応じて前記タイムゾーンの選択設定を行い、
前記操作受付手段は、前記第１地方時に係る前記タイムゾーンの選択設定状態への移行操作及び当該選択設定状態の終了操作と、前記第２地方時に係る前記タイムゾーンの選択設定状態への移行操作及び当該選択設定状態の終了操作とを受け付け、
前記指針動作制御手段は、前記第１地方時に係る前記タイムゾーンの選択設定状態において当該第１地方時に係る前記地方時判別結果に基づく表示を行わせ、前記第２地方時に係る前記タイムゾーンの選択設定状態において当該第２地方時に係る前記地方時判別結果に基づく表示を行わせる
ことを特徴とする請求項４、５、７の何れか一項に記載のアナログ電子時計。
【発明の詳細な説明】
【技術分野】
【０００１】
この発明は、世界各地における時刻を表示可能なアナログ電子時計に関する。
【背景技術】
【０００２】
従来、世界各地における地方時を表示させることの出来る電子時計がある。この電子時計では、ユーザによる入力操作などにより何れかのタイムゾーンが指定されると、ＵＴＣ（協定世界時）からの時差情報などに基づいて当該タイムゾーンにおける地方時を算出して表示させる。また、このような電子時計には、通常の時刻（地方時）の表示に加えて世界の所望の地域における地方時を同時に又は切り替えて表示させる世界時計機能を有するものがある。
【０００３】
指針を用いて日時を表示するアナログ電子時計では、従来、標識や目盛が配列された文字盤の周縁部やベゼルなどに各タイムゾーンを示す世界の都市、地域や協定世界時（ＵＴＣ）からの時差などの地方時標識が環状に設けられている。そして、一の指針を用いてこれら地方時標識のうち何れかを指し示させることでユーザに所望のタイムゾーンを指定させ、当該指定されたタイムゾーンにおける地方時の算出及び表示を行っている。
【０００４】
一方で、近年、測位衛星からの電波（航法メッセージ）を受信して測位を行い、得られた位置が属するタイムゾーンを判別して、当該タイムゾーンにおける地方時を算出して表示させる電子時計（電波時計）がある。測位衛星からの電波は、開けた屋外などの電波受信可能環境であれば世界の各地で受信可能であり、ユーザが現在位置のタイムゾーンを認識していなくても適切に設定がなされる。
【０００５】
しかしながら、世界の一部の地域では、夏季の間、タイムゾーンにおける地方時の標準時間から時間をずらす夏時間（サマータイム、Daylight Saving Time（ＤＳＴ））が実施される。従って、正確に地方時を表示させるには、この夏時間の実施期間に亘って標準時間から更に当該夏時間の実施中におけるシフト時間をずらして日時を計数、表示させる必要がある。これに対し、特許文献１では、夏時間の実施期間に係る情報を世界の各地域と対応付けて記憶させておき、ＧＰＳ衛星で取得される日時情報を用いて夏時間の実施開始日時及び終了日時を判別して夏時間実施時における日時の補正を行わせる技術について開示されている。
【先行技術文献】
【特許文献】
【０００６】
【特許文献１】特開２０１１−４８７７７号公報
【発明の概要】
【発明が解決しようとする課題】
【０００７】
しかしながら、夏時間の実施有無や実施期間は、タイムゾーンの設定範囲より狭い範囲で定められることが多く、同一のタイムゾーン内であっても異なる夏時間実施ルールが定められた複数の地域がしばしば混在している。従って、アナログ電子時計において、予め定められたタイムゾーンの指定による地方時の設定と、測位データなどの任意の位置情報に基づく地方時の設定とが併用される場合、タイムゾーンを指定したのみでは、適切な夏時間実施ルールを自動的に選択して夏時間を適用することが出来ない場合がある。その結果、算出されている地方時に対し、現在位置に応じた夏時間が適用されているのか否かをユーザが区別して認識することが出来ないという課題がある。
【０００８】
この発明の目的は、現在位置に応じた適切な夏時間の適用された地方時が得られているか否かをユーザが容易に知得することの出来るアナログ電子時計を提供することにある。
【課題を解決するための手段】
【０００９】
本発明は、上記目的を達成するため、
回動可能な複数の指針と、
当該複数の指針を回動させる指針動作制御手段と、
世界の各地におけるタイムゾーンと夏時間実施情報とを含む地方時設定を記憶する地方時設定記憶手段と、
現在位置を取得する現在位置取得手段と、
前記取得された現在位置に応じた地方時設定を前記地方時設定記憶手段から読み出して取得する地方時設定取得手段と、
タイムゾーンを選択設定するタイムゾーン設定手段と、
地方時を計数する計時手段と、
を備え、
前記計時手段は、前記地方時設定取得手段による地方時設定の取得と、前記タイムゾーン設定手段によるタイムゾーンの選択設定とのうち、より直近になされたものに基づいて地方時を計数し、
前記指針動作制御手段は、計数されている地方時が現在位置に応じて取得された地方時設定に基づくものであるか否かに係る地方時判別結果に基づく表示を前記複数の指針のうちの少なくとも一部により行わせる
ことを特徴とするアナログ電子時計である。
【発明の効果】
【００１０】
本発明に従うと、アナログ電子時計において、現在位置に応じた適切な夏時間の適用された地方時が得られているか否かをユーザが容易に知得することが出来るという効果がある。
【図面の簡単な説明】
【００１１】
【図１】本発明の実施形態であるアナログ電子時計の正面図である。
【図２】アナログ電子時計の機能構成を示すブロック図である。
【図３】地方時設定情報の設定内容の例を示す図である。
【図４】タイムゾーン設定変更処理の制御手順を示すフローチャートである。
【図５】地方時位置入替処理及びホーム位置取得処理の制御手順を示すフローチャートである。
【図６】世界時計位置設定時の表示例を示す図である。
【図７】ホーム位置設定時の表示例を示す図である。
【図８】現在位置情報が保持されている場合におけるホーム位置設定時の他の表示例を示す図である。
【発明を実施するための形態】
【００１２】
以下、本発明の実施の形態を図面に基づいて説明する。
図１は、本発明の電子時計の実施形態であるアナログ電子時計１の正面図である。
このアナログ電子時計１は、内部に各構成を収めるケーシング２と、ケーシング２内で一方の面（露出面）が外部に露出される文字盤３と、文字盤３の露出面を覆う図示略の透明部材（風防ガラス）と、文字盤３の略中心を回転軸として文字盤３と風防ガラスの間で文字盤３の略全面に亘って回転動作し、文字盤３の外縁付近に設けられた標識や目盛を指し示す３本の時刻指針６１、６２、６３と、文字盤３の２時３０分位置に設けられた小窓４及び小窓４の内部で回転動作する２４時間針６４と、文字盤３の９時３０分位置に定められたエリア５及びエリア５の内部で回転動作する機能針６６と、文字盤３の６時位置に設けられた小窓６及び小窓６の内部で回転する小分針６７及び小時針６８と、文字盤３の露出面とは反対側に当該文字盤３と平行に設けられ、回転動作に応じて文字盤３の４時３０分位置に設けられた開口部７から一の標識が露出される日車６５と、ケーシング２における文字盤３の露出面側に対して側面側に設けられたりゅうずＣ１及び押しボタンスイッチＢ１〜Ｂ４などを備える。
【００１３】
文字盤３には、時、分及び秒を示す目盛や標識（時字）が円環状に設けられていると共に、これらの目盛や標識よりも更に外縁側には、世界のタイムゾーンに各々対応した都市名の略称及び協定世界時（ＵＴＣ）をそれぞれ示す地方時標識が設けられている。この地方時標識は、文字盤３ではなくベゼルなどに設けられても良い。
【００１４】
時刻指針６１〜６３は、それぞれ、秒針６１、分針６２及び時針６３であり、通常、時刻を表示する場合に、それぞれ、時刻の時、分、秒を指し示す。２４時間針６４は、小窓４の内部で午前、午後を含めた時刻を２４時間表示する。また、本実施形態のアナログ電子時計１では、秒針６１及び分針６２は、各種機能に係る表示や設定に用いられる。
【００１５】
日車６５は、その周縁部に日付を表す標識が順番に等間隔で設けられて、これらの標識のうちの一つが開口部７から露出されることで日付を示す。
【００１６】
機能針６６は、エリア５内部の９時位置から１時位置までの間に設けられた７つの標識の何れかを指し示すことで曜日を示し、エリア５内部の６時位置から７時３０分位置までの間に設けられた標識の何れかを指し示すことで、実行中の機能モードを示す。アナログ電子時計１で動作可能な機能モードとしては、特には限られないが、ここでは、ストップウォッチモード、タイマモード及びアラームモードがある。また、３時位置から５時位置までの間の標識の何れかを指し示すことで、時刻表示モードに関して夏時間の表示設定に係る表示が行われる。また、これらの各種機能モードと平行して、通信に係る電波送受信を禁止する機内モードの設定が可能となっており、機能針６６が９時位置付近にある飛行機の標識を指し示すことで、機内モードであることが示される。また、１時位置付近に設けられた標識「Ｐ」及び２時位置付近に設けられた標識「Ｎ」は、それぞれ、計数している地方時が現在位置に係る情報に基づいて定められたものか否かを示す。更に、機能針６６の指し示す方向と９時方向（１２時方向を上方向とした場合の横方向）とのなす角度、即ち、機能針６６が指し示す位置により緯度が表示される。
【００１７】
小分針６７及び小時針６８は、それぞれ、小窓６の内部において、世界時計の機能に係る設定された位置（世界時計位置）における地方時の表示を行う。即ち、本実施形態のアナログ電子時計１では、時刻指針６１〜６３と、小分針６７及び小時針６８とにより、２箇所における地方時を同時に表示させることが出来る。なお、小分針６７及び小時針６８に更に連動して回転する２４時間小針を備え、世界時計でも午前、午後を表示可能とすることが出来る。
以下、時刻指針６１〜６３、２４時間針６４、日車６５、機能針６６、小分針６７及び小時針６８のうち一部又は全部をまとめて示す場合には、指針６１〜６８（複数の指針）などと記す。
【００１８】
りゅうずＣ１及び押しボタンスイッチＢ１〜Ｂ４は、それぞれ、ユーザからの入力操作を受け付ける。りゅうずＣ１は、ケーシング２から２段階の引き出し操作が可能であり、１段階又は２段階引き出された状態で所定の角度の回転操作が行われることにより操作信号が出力され、各種設定に用いられる。押しボタンスイッチＢ１〜Ｂ４は、それぞれ押下されることで機能モードの種別変更を行い、或いは、機能モードごとに割り当てられた動作命令を受け付ける。
【００１９】
図２は、アナログ電子時計１の機能構成を示すブロック図である。
アナログ電子時計１は、ＣＰＵ４１（Central Processing Unit）（指針動作制御手段、地方時設定取得手段、タイムゾーン設定手段、設定入替手段）と、ＲＯＭ４２（Read Only Memory）と、ＲＡＭ４３（Random Access Memory）（地方時設定記憶手段）と、発振回路４４と、分周回路４５と、計時回路４６（計時手段）と、操作部４７（操作受付手段）と、衛星電波受信処理部４８（現在位置取得手段）及びそのアンテナ４９と、駆動回路５１と、電源部５２と、上述の時刻指針６１〜６３、２４時間針６４、日車６５、機能針６６、小分針６７及び小時針６８と、輪列機構７１〜７５と、ステッピングモータ８１〜８５などを備える。
【００２０】
ＣＰＵ４１は、各種演算処理を行い、また、アナログ電子時計１の全体動作を統括制御する。ＣＰＵ４１は、日時の表示に係る指針動作を制御する。ＣＰＵ４１は、タイムゾーン及び夏時間実施情報からなる地方時設定に基づいて計時回路４６の計数する日時を適切な地方時に換算し、通常の時刻表示モードにおいて、換算された地方時を時刻指針６１〜６３、２４時間針６４及び日車６５により表示させる。
また、ＣＰＵ４１は、衛星電波受信処理部４８を動作させて日時や位置情報を取得したりする。ＣＰＵ４１は、得られた日時のデータに基づいて計時回路４６の計数する日時を修正する。
【００２１】
ＲＯＭ４２は、ＣＰＵ４１により実行される各種制御用のプログラム４２ａや設定データを格納する。プログラム４２ａには、例えば、各種機能モードの動作制御に係るプログラムが含まれている。また、設定データには、都市時差情報４２ｂが含まれる。
【００２２】
都市時差情報４２ｂには、文字盤３の外縁に設けられた地方時標識に係る地理的位置のＩＤ、位置（例えば、１２時方向からの秒針６１によるステップ数）、及び当該都市におけるＵＴＣ時刻からの時差（以降、時差とは、ＵＴＣ時刻からの時差を表す）が対応付けられてタイムゾーン設定情報として記憶されている。例えば、４時２０分付近の位置に設けられた東京を示す都市標識「ＴＹＯ」に対し、ＩＤ「０１１」、２２秒位置、及び＋９時間の時差が対応付けられて記憶されている。
【００２３】
ＲＡＭ４３は、ＣＰＵ４１に作業用のメモリ空間を提供し、一時データを記憶する。また、ＲＡＭ４３には、日時情報及び位置情報取得の履歴、通常の日時表示に係るホーム位置及び世界時計表示に係る世界時計位置にそれぞれ応じた地方時設定のデータである地方時設定情報４３ｃや、指針位置を示すデータなどが記憶されている。また、ＲＡＭ４３には、ユーザにより設定されたタイムゾーンや夏時間実施情報の修正データである都市ユーザ修正データ４３ａ及び地図ユーザ修正データ４３ｂが記憶されている。
【００２４】
都市ユーザ修正データ４３ａには、上述の各都市におけるタイムゾーンや夏時間実施情報の修正情報が設定されたものについて当該修正情報が記憶される。例えば、東京にて夏時間が実施される場合に当該夏時間の実施情報が後述のようにユーザによって設定されると、東京を示すＩＤなどと、当該設定とが対応付けられて記憶される。この設定の記憶数は、最新の一つだけであっても良いし、設定があった都市について全て記憶させることが可能であっても良い。同一の都市（ＩＤ）に対して複数回の設定があった場合には、最新の設定のみが記憶される。また、これらの修正情報には、当該修正情報の有効期間が含まれていても良い。
【００２５】
地図ユーザ修正データ４３ｂには、取得された現在位置（緯度経度）におけるタイムゾーンや夏時間実施情報の修正情報が設定された場合に、当該現在位置又は現在位置を含む地域（所定の地域）のＩＤと、設定された修正情報とが対応付けられて記憶される。現在位置を示すデータが記憶される場合には、取得された現在位置の緯度経度自体が用いられても良いし、時差マップ４８ｃに記憶される各地理ブロックの座標が用いられても良い。この場合も、設定数は、記憶容量などに応じて適宜設定され、また、同一の地域内で複数回の設定があった場合には、最新の設定のみが記憶される。この修正情報にも当該修正情報の有効期間が含まれていても良い。
都市ユーザ修正データ４３ａ及び地図ユーザ修正データ４３ｂが更新情報を構成する。
【００２６】
地方時設定情報４３ｃには、ホーム位置及び世界時計位置におけるタイムゾーンや夏時間実施ルールといった地方時設定情報が記憶されている。地方時設定情報４３ｃの内容については、後に詳述する。
【００２７】
発振回路４４は、所定の周波数信号を生成して出力する。発振回路４４は、例えば、水晶発振器を発振子として備える。
分周回路４５は、発振回路４４から出力された周波数信号をＣＰＵ４１や計時回路４６により利用される周波数の信号に分周して出力する。出力される周波数は、ＣＰＵ４１からの制御信号により変更可能に設定されていても良い。
【００２８】
計時回路４６は、所定の日時を示す初期値に分周回路４５から入力される分周信号を計数して加算していくことにより現在の日時を計数する。この計時回路４６により計数される日時は、発振回路４４の精度に応じた誤差（歩度）、例えば、一日に０．５秒程度、を有する。計時回路４６の計数する日時は、ＣＰＵ４１からの制御信号により修正されることが可能となっている。計時回路４６が計数する日時は、ＵＴＣ日時などの基準となる日時に換算可能な独自のカウント値であっても良いし、ＵＴＣ日時自体を計数しても良い。或いは、ホーム位置の設定がなされるごとに当該ホーム位置における地方時（第１地方時）に修正されて計数を行っても良い。計時回路４６は、ハードウェア構成としてのカウンタ回路を有していても良いし、ソフトウェア的にカウントされた値をＲＡＭなどに記憶する態様であっても良い。また、ソフトウェア的な計数は、ＣＰＵ４１が制御しても良いし、別個に制御されても良い。
また、計時回路４６は、ホーム位置における地方時と別個に世界時計位置における地方時を計数しても良いし、計時回路４６が計数する日時から世界時計位置における地方時（第２地方時）を常時換算して出力可能に構成されていても良い。
【００２９】
操作部４７は、ユーザからの入力操作を受け付ける。操作部４７には、上述の押しボタンスイッチＢ１〜Ｂ４やりゅうずＣ１が含まれる。押しボタンスイッチＢ１〜Ｂ４がそれぞれ押下されたり、りゅうずＣ１が引き出され、押し戻され、また、回転動作がなされたりした場合には、動作種別に応じた電気信号がＣＰＵ４１に出力される。りゅうずＣ１は、２段階の引き出しが可能となっており、引き出し状態に応じた内容の入力を受け付ける。本実施形態のアナログ電子時計１では、ユーザからの入力操作に基づいてホーム都市設定及び世界時計の都市設定の切り替えや、入れ替えを行ったり、地方時への夏時間適用に係る後述のＤＳＴ設定を行ったりすることが出来る。
【００３０】
衛星電波受信処理部４８は、アンテナ４９を用いて少なくともＧＰＳ（Global Positioning System）に係る測位衛星（ＧＰＳ衛星）を含む測位衛星からの電波を受信し、これら測位衛星からのスペクトラム拡散された送信電波を復調して信号（航法メッセージデータ）を復号、解読する。衛星電波受信処理部４８では、更に、必要に応じて解読された航法メッセージデータの内容に対する各種演算処理が行われ、ＣＰＵ４１からの要求に応じて得られた日時や現在位置のデータのうち少なくとも一部が予め設定されたフォーマットでＣＰＵ４１に出力される。
【００３１】
衛星電波受信処理部４８は、受信部４８ａ（衛星電波受信手段）と、制御部４８ｂ（マイコン、測位手段）と、記憶部とを備える。受信部４８ａは、測位衛星からの電波の増幅、同調や復調などに係る受信回路を有する。制御部４８ｂは、受信、解読、演算及び出力に係る動作制御を行う。制御部４８ｂの演算処理には、日時データの取得処理や測位演算が含まれる。制御部４８ｂによる測位演算は、ＣＰＵによりソフトウェア的に実行される場合に限られず、専用のハードウェア回路などによる処理が少なくとも一部含まれていても良い。
【００３２】
衛星電波受信処理部４８の記憶部には、フラッシュメモリやＥＥＰＲＯＭ（Electrically Erasable and Programmable Read Only Memory）といった不揮発性メモリが用いられ、衛星電波受信処理部４８への電力供給状態に依らず記憶された内容が保持される。記憶部には、各種動作制御プログラム、測位衛星から取得される各測位衛星の予測軌道情報やうるう秒補正値などの設定データに加えて、地方時設定情報を得るための時差マップ４８ｃ、時差情報４８ｄ及び夏時間情報４８ｅなどが記憶される。なお、これら地方時設定情報をアナログ電子時計１のＲＡＭ４３に記憶させ、必要に応じて制御部４８ｂがＣＰＵ４１から情報を受け取ったり、これらの必要な処理をＣＰＵ４１に行わせたりする構成であっても良い。また、動作制御プログラムは、専用のＲＯＭに格納され、起動時に読み出されて制御部４８ｂのＲＡＭにロードされても良い。
【００３３】
時差マップ４８ｃは、世界地図を適宜な地理ブロック（地理的位置）に分割して、当該地理ブロックごとに属するタイムゾーンに係るパラメータと、夏時間に係るパラメータとを記憶するマップデータである。時差マップ４８ｃの地図は、特には限られないが、緯度線と経度線がそれぞれ直線で表され且つ直交するように描かれたものが好ましく用いられ、各地理ブロックは、所定の緯度間隔及び経度間隔で二次元マトリクス状に配置されるのが好ましい。また、地理ブロックは、高緯度地域と低緯度地域で経度幅を異ならせることで、実際のサイズが地理ブロック間で大きく異ならないように定められても良い。
【００３４】
時差情報４８ｄは、時差マップ４８ｃで用いられたタイムゾーンに係るパラメータと、当該タイムゾーンにおける時差とを対応付けるテーブルデータである。このテーブルデータでは、パラメータは、例えば、パラメータ「０」に対応する時差が「＋０時間」、パラメータ「１」に対応する時差が「＋１時間」というように一意に対応させて設定されている。
【００３５】
また、夏時間情報４８ｅは、時差マップ４８ｃで用いられた夏時間に係るパラメータと、当該夏時間実施情報の内容（実施有無、実施期間、実施時のシフト時間）とを対応付けるテーブルデータである。例えば、パラメータ「０」は、夏時間の実施なしと対応付けられ、パラメータ「１」は、夏時間がＵＴＣにおける３月の最終日曜日午前１時から１０月の最終日曜日午前１時まで＋１時間されることで実施されるケースと対応付けられて設定される。
このように、タイムゾーンに係るパラメータと夏時間に係るパラメータとが同一の範囲内が一つの地域（所定の地域）として定められる。或いは、夏時間実施情報の内容が同一であっても異なるタイムゾーンに対しては別個にパラメータが設定されることとして、夏時間に係るパラメータが同一の範囲内を一つの地域として定めても良い。更に、夏時間実施情報の内容やタイムゾーンより小さい行政上の単位などで地域が定められても良い。
【００３６】
これら衛星電波受信処理部４８の各構成は、まとめて一つのモジュールとしてチップ上に形成され、ＣＰＵ４１と接続される。衛星電波受信処理部４８の動作は、ＣＰＵ４１により、アナログ電子時計１の他の各部の動作とは独立にオンオフの制御がなされる。アナログ電子時計１では、衛星電波受信処理部４８を動作させる必要が無い場合には、衛星電波受信処理部４８への電力供給を中断することで省電力化が図られている。
【００３７】
電源部５２は、各部の動作に係る電力を所定電圧で供給する。電源部５２は、バッテリを有し、このバッテリとしては、例えば、ソーラパネルと二次電池とを備える。或いは、バッテリとして交換可能なボタン型の乾電池が用いられても良い。また、電源部５２から複数の異なる電圧が出力される場合には、例えば、スイッチング電源などを用いて所望の電圧に変換して出力可能な構成とすることが出来る。
【００３８】
ステッピングモータ８１は、複数の歯車の配列である輪列機構７１を介して秒針６１を回転動作させる。ステッピングモータ８１が一回駆動されると、秒針６１は、１ステップ６度回転し、ステッピングモータ８１の６０回の動作により文字盤３上で一周する。
ステッピングモータ８２は、輪列機構７２を介して分針６２を回転動作させる。ステッピングモータ８２が一回駆動されると、分針６２は、１ステップ１度回転し、ステッピングモータ８２の３６０回の動作により文字盤３上で一周する。
【００３９】
ステッピングモータ８３は、輪列機構７３を介して時針６３及び２４時間針６４を回転動作させる。輪列機構７３は、時針６３及び２４時間針６４を連動して回転させる構成であり、ステッピングモータ８３が一回駆動されると、時針６３を１ステップ１度回転移動させると共に、２４時間針６４を１／２度ずつ回転移動させる。従って、時針６３及び２４時間針６４が１０秒に１回ずつ回転移動されると、１時間の間に時針６３が文字盤３上で３０度移動すると共に２４時間針６４が小窓４内で１５度移動する。即ち、時針６３は、１２時間で文字盤３上を一周し、２４時間針６４は、２４時間で小窓４内を一周する。
【００４０】
ステッピングモータ８４は、輪列機構７４を介して機能針６６と日車６５とを連動して回転動作させる。ステッピングモータ８４が一回駆動されると、機能針６６が１ステップ１度回転される。日車６５は、例えば、１５０ステップの回転移動により３６０／３１度の回転が生じて、開口部７から露出される日付標識が１日分変化する。そして、日車６５が３１日分回転移動すると、再び最初の日付を示す日付標識が開口部７から露出される。
【００４１】
ステッピングモータ８５は、輪列機構７５を介して小分針６７及び小時針６８を回転動作させる。ステッピングモータ８５が一回駆動されると、小分針６７は、１ステップ１度回転移動し、小時針６８は、１／１２度回転する。従って、ステッピングモータ８５が３６０回回転駆動されることで、小分針６７が小窓６内を一周するとともに、小時針６８が小窓６内で３０度回転する。
【００４２】
時刻指針６１〜６３、２４時間針６４、日車６５、機能針６６、小分針６７及び小時針６８は、特には限られないが、正転方向（時刻が進む方向）に９０ｐｐｓ（pulse per second）で回転移動可能であり、また、逆転方向に３２ｐｐｓで回転移動可能となっている。
【００４３】
駆動回路５１は、ＣＰＵ４１からの制御信号に従ってステッピングモータ８１〜８５に所定電圧の駆動パルスを出力してステッピングモータ８１〜８５を１回所定角度（例えば、１８０度）回転動作させる。駆動回路５１は、アナログ電子時計１の状態などに応じて駆動パルスの長さ（パルス幅）を変更させることが出来る。また、複数の指針を同時に駆動させる制御信号が入力された場合に、負荷を低減させるために僅かに駆動パルスの出力タイミングをずらしたりすることが出来る。
【００４４】
次に、本実施形態のアナログ電子時計１における地方時の設定について説明する。
図３は、地方時設定情報４３ｃの設定内容の例を示す図である。
【００４５】
地方時設定情報４３ｃは、ホーム位置及び世界時計位置それぞれについて、都市（地域）名、タイムゾーン、夏時間実施期間、ＤＳＴ設定、夏時間シフト時間、これらの位置において受信可能な標準電波、緯度、及び上述のタイムゾーン及び夏時間実施ルールに対する上述の更新情報の適用有無についての情報を含む。
ここでは、ホーム位置に係る地方時設定として、図３（ａ）に示すように、測位衛星から受信された航法メッセージにより取得された位置であるグアム島に係るもの、例えば、タイムゾーンがＵＴＣ＋１０であり、夏時間が不実施であることなどが時差情報４８ｄ及び夏時間情報４８ｅから読み出されて記憶される。一方で、世界時計位置に係る地方時設定は、通常では、ユーザによるタイムゾーンの設定に基づいて定められる。ここでは、タイムゾーンがＵＴＣ＋１の地域が世界時計位置として記憶されている。また、これらにおいて、ＤＳＴ設定として、「ＡＵＴＯ」が設定されている。このＤＳＴ設定は、夏時間の実施を夏時間情報４８ｅに応じて自動で反映するか（ＡＵＴＯ）、又は、ユーザが手動でオン（ＤＳＴ）若しくはオフ（ＳＴＤ）に設定して当該設定に応じた状態とするかを切り替えるものである。即ち、ここでは、ホーム位置及び世界時計位置の何れでも設定された位置に対応する夏時間情報４８ｅの設定に従って夏時間が実施される。
なお、地方時設定情報４３ｃには、ユーザにより最初にタイムゾーンが設定され、又は最初に測位が行われて現在位置が取得されるまでの間、初期設定（プリセットデータ）が記憶される。例えば、ホーム位置のタイムゾーンには、製品の出荷国（販売国）、例えば、日本（ＵＴＣ＋９）が設定され、世界時計位置には、ＵＴＣ時刻が設定されている。
【００４６】
このように、タイムゾーン設定に基づく地方時設定の場合には、現在位置情報に基づいて地方時設定がなされた場合と比較して、位置情報が保持されていないことにより、都市名、夏時間実施ルール、受信可能標準電波、及び緯度情報が未設定状態となる。なお、夏時間実施ルールや受信可能標準電波などについては、タイムゾーン設定に用いられる都市に応じた設定がなされても良く、この場合には、地方時設定情報４３ｃでは、各都市名及び当該都市に応じた夏時間実施ルール及び受信可能標準電波に係る設定が都市時差情報４２ｂから読み出されることで含まれ、緯度が未設定、位置情報が「なし」となる。これらの設定は、図１において文字盤３に都市名として明示されていないタイムゾーン、例えば、ＵＴＣ＋１０．５のロードハウ島などについては、内部で都市時差情報４２ｂに保持して地方時設定情報４３ｃに適用しても良いし、このようなタイムゾーンのみ都市名、夏時間実施ルール及び受信可能標準電波に係る設定を行わないこととしても良い。
【００４７】
この状況でユーザが世界時計位置に移動して、ユーザ操作によりホーム位置と世界時計位置とが入れ換えられた場合、図３（ｂ）に示すように、アナログ電子時計１では、ホーム位置に係る地方時設定と世界時計位置に係る地方時設定とがそのまま入れ換えられる。この状況では、世界時計として小分針６７、小時針６８により表示される日時は、図１においてＵＴＣ＋１０に対応することが示されているシドニーではなく、実際に取得された位置に基づく地方時となり、反対に、ホーム位置は、手動で選択されたタイムゾーンの情報に応じた設定（ＵＴＣ＋１）となる。
【００４８】
更に、この入れ換えられた状況で測位が行われた場合、図３（ｃ）に示すように、取得された緯度経度情報に基づいて現在位置（ウィーン）が特定され、当該現在位置における夏時間実施情報（実施あり）及び受信可能標準電波が設定される。また、これにより、緯度情報が保持されて位置情報が「あり」に設定される。即ち、この状況では、ホーム位置における地方時設定と世界時計位置における地方時設定の何れもが実際に取得された位置情報に基づいてなされていることになる。
なお、ここでは、現在位置における地方時設定が取得された場合、新たな設定により古い設定が上書き更新されるが、所定数個記憶させておき、以前のものを呼び出すことが可能とされても良い。
【００４９】
従って、ホーム位置及び世界時計位置は、何れもタイムゾーンの情報に基づくものか又は実際に取得された位置情報に基づくものかで変化し得る。このアナログ電子時計１では、りゅうずＣ１の操作によりホーム位置又は世界時計位置のタイムゾーン変更状態に移行した状態において、それぞれホーム位置及び世界時計位置が取得された位置情報に基づいてなされているか否かを機能針６６が上述の「Ｐ」又は「Ｎ」指し示すことで明示する。
【００５０】
図４は、本実施形態のアナログ電子時計１において実行されるタイムゾーン設定変更処理のＣＰＵ４１による制御手順を示すフローチャートである。
【００５１】
このタイムゾーン設定変更処理は、通常の日時表示状態において、りゅうずＣ１を１段階又は２段階引き出すタイムゾーンの選択設定状態への移行操作がなされたことが検出されることで開始される。ＣＰＵ４１は、ホーム位置設定モードであるか否かを判別する（ステップＳ１０１）。具体的には、ＣＰＵ４１は、りゅうずＣ１が２段階引き出されているか否かを判別する。ホーム位置設定モードであると判別された場合には（ステップＳ１０１で“ＹＥＳ”）、ＣＰＵ４１は、駆動回路５１に制御信号を出力し、秒針６１（複数の指針６１〜６８のうちの少なくとも一部）に現在のホーム位置に対応するタイムゾーンに当たる都市を指し示させることで、タイムゾーンの表示を行わせる（ステップＳ１０２）。
【００５２】
ＣＰＵ４１は、ホーム位置情報が地方時設定情報４３ｃにおいて設定されているか否かを判別する（ステップＳ１０３）。判別の結果（地方時判別結果）、設定されていると判別された場合には（ステップＳ１０３で“ＹＥＳ”）、ＣＰＵ４１は、駆動回路５１に制御信号を出力し、機能針６６（複数の指針６１〜６８のうちの少なくとも一部、タイムゾーンの表示を行わせる指針とは異なる指針）に標識「Ｐ」を指し示させる（ステップＳ１０４）。それから、ＣＰＵ４１の処理は、ステップＳ１２１に移行する。設定されていないと判別された場合には（ステップＳ１０３で“ＮＯ”）、ＣＰＵ４１は、駆動回路５１に制御信号を出力し、機能針６６に標識「Ｎ」を指し示させる（ステップＳ１０５）。それから、ＣＰＵ４１の処理は、ステップＳ１２１に移行する。
【００５３】
ステップＳ１０１の判別処理で、ホーム位置設定モードではないと判別された場合には（ステップＳ１０１で“ＮＯ”）、ＣＰＵ４１は、世界時計の位置設定モードであるか否かを判別する（ステップＳ１１１）。世界時計の位置設定モードである、即ち、りゅうずＣ１が１段階引き出された状況であると判別された場合には（ステップＳ１１１で“ＹＥＳ”）、ＣＰＵ４１は、駆動回路５１に制御信号を出力し、秒針６１に世界時計のタイムゾーンとして定められている値に対応する都市標識を秒針６１に指し示させる（ステップＳ１１２）。世界時計の位置設定モードではないと判別された場合には（ステップＳ１１１で“ＮＯ”）、ＣＰＵ４１は、その他の対応する処理を実行する。
【００５４】
ステップＳ１１２の処理が終了すると、ＣＰＵ４１は、世界時計表示に係る位置情報が地方時設定情報４３ｃに設定保持されているか否かを判別する（ステップＳ１１３）。保持されていると判別された場合には（ステップＳ１１３で“ＹＥＳ”）、ＣＰＵ４１の処理は、ステップＳ１０４に移行する、保持されていないと判別された場合には（ステップＳ１１３で“ＮＯ”）、ＣＰＵ４１の処理は、ステップＳ１０５の処理に移行する。
【００５５】
ステップＳ１２１の処理に移行すると、ＣＰＵ４１は、りゅうずＣ１の回転操作がなされたか否かを判別する（ステップＳ１２１）。回転操作がなされたと判別された場合には（ステップＳ１２１で“ＹＥＳ”）、ＣＰＵ４１は、駆動回路５１に制御信号を出力し、回転方向に応じた都市の標識位置に秒針６１を移動させる（ステップＳ１２２）。また、ＣＰＵ４１は、地方時設定情報４３ｃにおけるタイムゾーンの設定を変更する（ステップＳ１２３）。このとき、ＣＰＵ４１は、計数している地方時の修正を行い、駆動回路５１に制御信号を出力して当該変更されたタイムゾーンに応じた地方時に表示時刻を修正させることが出来る。或いは、地方時の修正は、後述のステップＳ１２６の判別処理でりゅうずＣ１の戻し操作が検出されたと判別されてから行われても良い。更に、ＣＰＵ４１は、駆動回路５１に制御信号を出力して機能針６６に標識「Ｎ」を指し示させる（ステップＳ１２４）。それから、ＣＰＵ４１の処理は、ステップＳ１２５に移行する。回転操作がなされていないと判別された場合には（ステップＳ１２１で“ＮＯ”）、ＣＰＵ４１の処理は、ステップＳ１２５に移行する。
【００５６】
ステップＳ１２５の処理に移行すると、ＣＰＵ４１は、押しボタンスイッチＢ４が押下されたか否かを判別する（ステップＳ１２５）。押下されたと判別された場合には（ステップＳ１２５で“ＹＥＳ”）、ＣＰＵ４１は、駆動回路５１に制御信号を出力し、機能針６６に所定時間ＤＳＴ設定に係る「ＡＵＴＯ」、「ＤＳＴ」、又は「ＳＴＤ」の何れかを所定時間指し示させた後、指し示されていた標識「Ｐ」又は「Ｎ」の何れかの位置に戻す（ステップＳ１２６）。それから、ＣＰＵ４１の処理は、ステップＳ１２６に移行する。押しボタンスイッチＢ４が押下されていないと判別された場合には（ステップＳ１２５で“ＮＯ”）、ＣＰＵ４１の処理は、ステップＳ１２７に移行する。
【００５７】
ステップＳ１２７の処理に移行すると、ＣＰＵ４１は、りゅうずＣ１を初期位置に押し戻す操作（タイムゾーンの選択設定状態の終了操作）が検出されたか否かを判別する（ステップＳ１２７）。押し戻し操作が検出されていないと判別された場合には（ステップＳ１２７で“ＮＯ”）、ＣＰＵ４１の処理は、ステップＳ１２１に戻る。押し戻し操作が検出されたと判別された場合には（ステップＳ１２７で“ＹＥＳ”）、ＣＰＵ４１は、タイムゾーン設定変更処理を終了する。
【００５８】
図５は、アナログ電子時計１で実行される（ａ）地方時位置入替処理及び（ｂ）ホーム位置取得処理のＣＰＵ４１による制御手順をそれぞれ示すフローチャートである。
【００５９】
地方時位置入替処理は、通常の日時表示状態において押しボタンスイッチＢ４が所定時間押下されたことを検出することで開始される。地方時位置入替処理が開始されると、図５（ａ）に示すように、ＣＰＵ４１は、地方時設定情報４３ｃで記憶されているホーム位置の設定と世界時計位置の設定を入れ換えて更新する（ステップＳ１５１）。
【００６０】
ＣＰＵ４１は、入れ替えられた設定に基づいてそれぞれの地方時を修正する（ステップＳ１５２）。ＣＰＵ４１は、駆動回路５１に制御信号を送り、指針６１〜６５、６７、６８を移動させて、ホーム位置の時刻と世界時計位置の時刻を入れ替える。或いは、このときＣＰＵ４１は、秒針６１にホーム位置及び世界時計位置のそれぞれ属するタイムゾーンに応じた都市標識を所定時間ずつ順番に指し示させても良い。その後、ＣＰＵ４１は、地方時位置入替処理を終了する。
【００６１】
ホーム位置取得処理は、ユーザによる操作部４７への所定の入力操作に基づいて、或いは、所定の条件を満たした場合に自動で起動される。所定の条件としては、例えば、ホーム位置のタイムゾーン設定が変更された場合や、機内モードが解除された場合などを定めることが出来る。
【００６２】
ホーム位置取得処理が開始されると、図５（ｂ）に示すように、ＣＰＵ４１は、衛星電波受信処理部４８を起動して測位衛星からの電波受信を受信させて測位を行わせ、測位データを取得する（ステップＳ２０１）。ここで取得される測位データには、現在位置の情報に加えて、時差マップ４８ｃ、時差情報４８ｄ及び夏時間情報４８ｅに基づいて得られたタイムゾーンの情報及び夏時間実施ルールが含まれる。
【００６３】
ＣＰＵ４１は、測位に成功したか否かを判別する（ステップＳ２０２）。測位に成功しなかったと判別された場合には（ステップＳ２０２で“ＮＯ”）、ＣＰＵ４１は、ホーム位置取得処理を終了する。測位に成功したと判別された場合には（ステップＳ２０２で“ＹＥＳ”）、ＣＰＵ４１は、当該取得された測位データをホーム位置情報として地方時設定情報４３ｃを更新する（ステップＳ２０３）。
【００６４】
ＣＰＵ４１は、併せて取得された地方時により計時回路４６の計数する日時を修正する（ステップＳ２０４）。ホーム位置の地方時と世界時計位置の地方時とが連動して計数されている場合には、このときに世界時計位置の地方時も修正される。また、ＣＰＵ４１は、駆動回路５１に制御信号を出力して、表示時刻を修正させる。そして、ＣＰＵ４１は、ホーム位置取得処理を終了する。
【００６５】
図６は、アナログ電子時計１における世界時計位置設定時の表示例を示す図である。また、図７は、アナログ電子時計１におけるホーム位置設定時の表示例を示す図である。
上述のように、ホーム位置であるグアム島（ＵＴＣ＋１０）における地方時６日３時９分（ＵＴＣで５日１７時９分）に、世界時計位置としてタイムゾーン（ＵＴＣ＋１）が設定された状態で世界時計位置変更モードに移行すると、図６（ａ）に示すように、分針６２、時針６３及び２４時間針６４によりホーム都市における現在時刻６日３時９分が表示され、小分針６７及び小時針６８により（ＵＴＣ＋１）のタイムゾーンにおける時刻１８時９分が表示される。また、秒針６１が都市標識「ＰＡＲ」（パリ）を指示することで世界時計位置のタイムゾーンが（ＵＴＣ＋１）であることが示されると共に、機能針６６により世界時計位置の位置情報が保持されていない（タイムゾーンのみの設定である）ことを示す標識「Ｎ」が指示される。
【００６６】
グアム島では、夏時間を実施していないので、表示されている地方時６日３時９分は、標準時間によるものである。また、上述のように、世界時計位置に係る位置情報が取得されていない場合には、ＤＳＴ設定が「ＡＵＴＯ」において、世界時計として標準時間における夏時間が表示される。
【００６７】
ここで、一度世界時計位置設定が終了されて、ホーム位置と世界時計位置の入れ替えが行われた後に再度世界時計位置設定に移行すると、図６（ｂ）に示すように、分針６２、時針６３及び２４時間針６４によりホーム位置としての（ＵＴＣ＋１）での時刻５日１８時９分が表示され、小分針６７及び小時針６８により世界時計位置としてのグアム島の時刻３時９分が表示される。また、このとき、秒針６１が都市標識「ＳＹＤ」を指し示すと共に、機能針６６が標識「Ｐ」を指し示すことで、世界時計位置の位置情報（グアム島）が取得されており、当該位置がタイムゾーン（ＵＴＣ＋１０）に属することが示される。
【００６８】
一方、この状態でホーム位置変更モードに移行すると、図７（ａ）に示すように、機能針６６が都市標識「ＰＡＲ」を指し示すと共に機能針６６が標識「Ｎ」を指し示すことで、ホーム位置がタイムゾーン（ＵＴＣ＋１）に属する一方、このホーム位置の位置情報が保持されていないことが示される。
【００６９】
この後、測位衛星からの電波を受信して測位が行われると、図７（ｂ）に示すように、ホーム位置であるウィーンの情報が取得されて、ホーム位置変更モードにおいて機能針６６が標識「Ｐ」を指し示し、ホーム位置の情報が保持されていることが示される。このとき、ウィーンにおいて夏時間が実施されている期間中（３月最終日曜のＵＴＣ１時から１０月最終日曜のＵＴＣ１時まで）の場合には、当該ウィーンの地方時として夏時間が適用され、標準時間よりも一時間進んだ時刻として時針６３、分針６２及び２４時間針６４により５日１９時９分が指し示される。
【００７０】
以上のように、本実施形態のアナログ電子時計１は、回動（回転動作）可能な複数の指針６１〜６８と、世界の各地におけるタイムゾーンと夏時間実施情報とからなる地方時設定を記憶する時差マップ４８ｃ、時差情報４８ｄ及び夏時間情報４８ｅと、現在位置を取得する衛星電波受信処理部４８の受信部４８ａ及び制御部４８ｂと、地方時を計数する計時回路４６と、ＣＰＵ４１とを備える。ＣＰＵ４１は、複数の指針６１〜６８を回動させる指針動作制御手段、取得された現在位置に応じた地方時設定を時差マップ４８ｃ、時差情報４８ｄ及び夏時間情報４８ｅから読み出して取得する地方時設定取得手段、及びタイムゾーンを選択設定するタイムゾーン設定手段として機能する。
計時回路４６は、地方時設定取得手段としてのＣＰＵ４１による地方時設定の取得と、タイムゾーン設定手段としてのＣＰＵ４１によるタイムゾーンの選択設定とのうち、より直近になされたものに基づいて地方時を計数し、指針動作制御手段としてのＣＰＵ４１は、計数されている地方時が現在位置に応じて取得された地方時設定に基づくものであるか否かに係る地方時判別結果に基づく表示を複数の指針６１〜６８のうちの少なくとも一部である機能針６６により行わせる。
このように、実際に計測された現在位置に応じた地方時設定に基づく地方時の計数と、定められたタイムゾーン設定に基づく地方時の計数とが併用される場合に、アナログ電子時計１で何れにより地方時の計数がなされているかを容易にユーザが知得可能に表示を行わせることで、現在位置に応じた適切な夏時間の適用された地方時が得られているか否かをユーザが容易に知得することが出来る。
【００７１】
また、指針動作制御手段としてのＣＰＵ４１は、計時回路４６により計数されている地方時が属するタイムゾーンの表示を複数の指針６１〜６８のうちの少なくとも一部である秒針６１により行わせるので、ユーザは、計数されている日時がどのタイムゾーンにおけるものであるかを容易に知得して、タイムゾーンの選択設定の変更を行ったり、現在位置に応じた夏時間分の補正を行う必要があるか否かを判断したりすることが出来る。
【００７２】
また、指針動作制御手段としてのＣＰＵ４１は、地方時判別結果に基づく表示とタイムゾーンの表示とを異なる指針により同時に行わせるので、タイムゾーン設定の必要有無及び現在地における夏時間の適用有無についてユーザが効率良く情報を手に入れて対応することが出来る。
【００７３】
また、ユーザ操作を受け付ける操作部４７を備え、計時回路４６は、ホーム位置における地方時と世界時計位置における地方時とをそれぞれ計数し、指針動作制御手段としてのＣＰＵ４１は、ホーム位置における地方時と世界時計位置における地方時の各々についてなされた地方時設定の取得及び／又はタイムゾーンの選択設定にそれぞれ応じて現在位置における地方時設定に基づく日時が計数されているか否かを機能針６６により表示させる。
従って、ユーザがホーム位置設定と世界時計位置設定に関し、現在位置情報がそれぞれ取得されているか否かをユーザが完全に記憶していなくても容易に確認することが出来る。
【００７４】
また、操作部４７への所定の入力操作に応じてホーム位置における地方時に係る地方時設定と世界時計位置における地方時に係る地方時設定とを入れ替えることが出来るので、特定の目的地との間で往復する出張などの旅行時に容易に現在位置を反映して地方時の表示を行わせることが出来る。また、このときにホーム位置について取得されている現在位置に係る地方時設定が消去されずに保持されるので、旅先でも元のホーム位置における正確な地方時を計数させることが出来る。
【００７５】
また、現在位置の取得は、衛星電波受信処理部４８が測位衛星からの電波を受信する受信部４８ａと、受信された測位衛星からの電波に基づいて現在位置を算出する制御部４８ｂと、を備えることで行われる。従って、衛星電波が受信可能な屋外や窓際などであれば、世界の何れの地域であっても確実に正確な現在位置を取得することが出来るので、適切な地方時設定を容易に得ることが出来る。
【００７６】
また、地方時設定取得手段としてのＣＰＵ４１は、衛星電波受信処理部４８の制御部４８ｂにより算出された現在位置が取得された場合には、ホーム位置における地方時に係る地方時設定を当該取得された現在位置に応じて更新するので、ホーム位置の設定として、現在位置が取得されるまではユーザ設定に応じて暫定で行わせると共に、現在位置が取得され次第、正確な取得情報に基づいて正確な地方時の表示を行わせることが出来る。
【００７７】
また、タイムゾーン設定手段としてのＣＰＵ４１は、操作部４７により受け付けられた操作内容に応じてタイムゾーンの選択設定を行い、操作部４７は、ホーム位置における地方時に係るタイムゾーンの選択設定状態への移行操作及び当該選択設定状態の終了操作と、世界時計位置における地方時に係るタイムゾーンの選択設定状態への移行操作及び当該選択設定状態の終了操作とをりゅうずＣ１の引き出し及び押し戻し動作により受け付け、指針動作制御手段としてのＣＰＵ４１は、りゅうずＣ１の２段階引き出しによるホーム位置における地方時に係るタイムゾーンの選択設定状態において当該ホーム位置における地方時に係る地方時判別結果に基づく表示を行わせ、りゅうずＣ１の１段階引き出しによる世界時計位置における地方時に係るタイムゾーンの選択設定状態において当該世界時計位置における地方時に係る地方時判別結果に基づく表示を行わせる。
即ち、タイムゾーン設定に係る操作と共通化することで、表示に係る動作を不要に増やさず簡略化するとともに、現在の設定に問題がある場合に容易且つ即座に修正を行わせる動作を行うことが出来る。従って、その状態で最も適切な地方時の計数、表示に係る設定をユーザに速やかに判断させ、また、行わせることが出来る。
【００７８】
なお、本発明は、上記実施の形態に限られるものではなく、様々な変更が可能である。
例えば、上記実施の形態では、現在位置情報の有無によって単に標識「Ｐ」又は「Ｎ」を指し示すこととさせたが、現在位置情報がある場合には、当該現在位置に応じた緯度を機能針６６に指し示させても良い。
【００７９】
図８は、現在位置情報が保持されている場合のホーム位置設定時の他の表示例を示す図である。
このように、機能針６６が緯度（北緯１３度）を指し示すことで、現在位置情報が保持され、この保持されている現在位置がグアム島であることが示されている。このような表示により、同一タイムゾーン内で複数の位置間を移動する場合などに、どの位置情報が保持されているかをユーザが知得することが出来る。また、この場合には、現在位置が無い場合の標識だけが設けられていれば良いので、標識「Ｐ」がなく、標識「Ｎ」に対応する標識「ＮＰ」のみが設けられている。
【００８０】
また、上記実施の形態では、ホーム位置の時刻と世界時計の時刻とを同時に表示可能なアナログ電子時計を例に挙げて説明したが、何れかの表示を選択的に切り替えるアナログ電子時計であっても良い。或いは、ホーム位置の時刻表示のみが行われる電子時計であっても良い。その他、指針の本数、配置や用途などは任意に定められる。
【００８１】
また、上記実施の形態では、時差情報４８ｄ及び夏時間情報４８ｅが衛星電波受信処理部４８に保持され、都市時差情報４２ｂがＲＯＭ４２に保持されたが、これに限られず、例えば、まとめてＲＯＭ４２に保持されても良い。この場合には、ＣＰＵ４１は、例えば、衛星電波受信処理部４８からＵＴＣ日時を取得して設定された都市（タイムゾーン）に応じた地方時を算出すれば良い。
【００８２】
また、上記実施の形態では、衛星電波受信処理部４８が受信した測位衛星からの電波に基づく測位によって現在位置を取得したが、その他の方法、例えば、ユーザが手動操作で緯度経度の概略値を入力しても良い。この場合、ホーム位置だけではなく、世界時計位置を手動操作で入力することも可能である。
【００８３】
また、上記実施の形態では、ホーム位置設定モード及び世界時計位置設定モードにおいて、併せてそれぞれホーム位置及び世界時計位置に係る現在位置の有無を表示させることとしたが、その他の動作モードで現在位置の有無を表示させても良い。また、その場合、タイムゾーンを示す表示と必ずしも同時に行われなくても良い。
【００８４】
また、上記実施の形態では、ホーム位置と世界時計位置を入れ替え可能としたが、独立に各々設定されるだけであっても良い。この場合、世界時計として現在位置に基づく設定がなされ得ない場合には、ホーム位置に係る現在位置の取得有無のみが表示可能であっても良い。
【００８５】
また、上記実施の形態では、タイムゾーン設定変更処理においてりゅうずＣ１の回転操作に応じて即座にタイムゾーンの設定変更を行ったが、りゅうずＣ１の回転操作がなされても、りゅうずＣ１が押し戻されて他のタイムゾーンへの変更が確定した場合にのみタイムゾーンを変更させても良い。或いは、りゅうずＣ１が押し戻されたタイミングで最終的にタイムゾーンの変更が１回だけ行われる場合であっても、タイムゾーンを変更せずに異なる夏時間実施ルールの地域に移動した場合などにおいて、夏時間実施ルールのみを解除させたい場合もあり得る。そこで、例えば、最終的に同一のタイムゾーンに戻っていても処理中に一度以上りゅうずの操作がなされた場合には、タイムゾーンの設定を更新して地方時設定よりも優先して利用させることとしても良い。
その他、アナログ電子時計１の構成、構造や制御の内容、手順、及び表示の態様など、具体的な細部は、本発明の趣旨を逸脱しない範囲において適宜変更可能である。
【００８６】
本発明のいくつかの実施形態を説明したが、本発明の範囲は、上述の実施の形態に限定されるものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００８７】
［付記］
＜請求項１＞
回動可能な複数の指針と、
当該複数の指針を回動させる指針動作制御手段と、
世界の各地におけるタイムゾーンと夏時間実施情報とを含む地方時設定を記憶する地方時設定記憶手段と、
現在位置を取得する現在位置取得手段と、
前記取得された現在位置に応じた地方時設定を前記地方時設定記憶手段から読み出して取得する地方時設定取得手段と、
タイムゾーンを選択設定するタイムゾーン設定手段と、
地方時を計数する計時手段と、
を備え、
前記計時手段は、前記地方時設定取得手段による地方時設定の取得と、前記タイムゾーン設定手段によるタイムゾーンの選択設定とのうち、より直近になされたものに基づいて地方時を計数し、
前記指針動作制御手段は、計数されている地方時が現在位置に応じて取得された地方時設定に基づくものであるか否かに係る地方時判別結果に基づく表示を前記複数の指針のうちの少なくとも一部により行わせる
ことを特徴とするアナログ電子時計。
＜請求項２＞
前記指針動作制御手段は、前記計時手段により計数されている地方時が属するタイムゾーンの表示を前記複数の指針のうちの少なくとも一部により行わせることを特徴とする請求項１記載のアナログ電子時計。
＜請求項３＞
前記指針動作制御手段は、前記地方時判別結果に基づく表示と前記タイムゾーンの表示とを異なる指針により同時に行わせることを特徴とする請求項２記載のアナログ電子時計。
＜請求項４＞
ユーザ操作を受け付ける操作受付手段を備え、
前記計時手段は、第１地方時と第２地方時とをそれぞれ計数し、
前記指針動作制御手段は、前記第１地方時と前記第２地方時の各々についてなされた地方時設定の取得及びタイムゾーンの選択設定にそれぞれ応じて前記地方時判別結果に基づく表示を行わせる
ことを特徴とする請求項１〜３の何れか一項に記載のアナログ電子時計。
＜請求項５＞
前記操作受付手段への所定の入力操作に応じて前記第１地方時に係る地方時設定と前記第２地方時に係る地方時設定とを入れ替える設定入替手段を備えることを特徴とする請求項４記載のアナログ電子時計。
＜請求項６＞
前記現在位置取得手段は、
測位衛星からの電波を受信する衛星電波受信手段と、
受信された前記測位衛星からの電波に基づいて現在位置を算出する測位手段と、
を備えることを特徴とする請求項１〜３の何れか一項に記載のアナログ電子時計。
＜請求項７＞
前記現在位置取得手段は、
測位衛星からの電波を受信する衛星電波受信手段と、
受信された前記測位衛星からの電波に基づいて現在位置を算出する測位手段と、
を備え、
前記地方時設定取得手段は、前記測位手段により算出された現在位置が取得された場合には、前記第１地方時に係る地方時設定を当該取得された現在位置に応じて更新する
ことを特徴とする請求項４又は５記載のアナログ電子時計。
＜請求項８＞
前記タイムゾーン設定手段は、前記操作受付手段により受け付けられた操作内容に応じて前記タイムゾーンの選択設定を行い、
前記操作受付手段は、前記第１地方時に係る前記タイムゾーンの選択設定状態への移行操作及び当該選択設定状態の終了操作と、前記第２地方時に係る前記タイムゾーンの選択設定状態への移行操作及び当該選択設定状態の終了操作とを受け付け、
前記指針動作制御手段は、前記第１地方時に係る前記タイムゾーンの選択設定状態において当該第１地方時に係る前記地方時判別結果に基づく表示を行わせ、前記第２地方時に係る前記タイムゾーンの選択設定状態において当該第２地方時に係る前記地方時判別結果に基づく表示を行わせる
ことを特徴とする請求項４、５、７の何れか一項に記載のアナログ電子時計。
【符号の説明】
【００８８】
１     アナログ電子時計
２     ケーシング
３     文字盤
４     小窓
５     エリア
６     小窓
７     開口部
４１   ＣＰＵ
４２   ＲＯＭ
４２ａ プログラム
４２ｂ 都市時差情報
４３   ＲＡＭ
４３ａ 都市ユーザ修正データ
４３ｂ 地図ユーザ修正データ
４３ｃ 地方時設定情報
４４   発振回路
４５   分周回路
４６   計時回路
４７   操作部
４８   衛星電波受信処理部
４８ａ 受信部
４８ｂ 制御部
４８ｃ 時差マップ
４８ｄ 時差情報
４８ｅ 夏時間情報
４９   アンテナ
５１   駆動回路
５２   電源部
６１   秒針
６２   分針
６３   時針
６４   ２４時間針
６５   日車
６６   機能針
６７   小分針
６８   小時針
７１〜７５    輪列機構
８１〜８５    ステッピングモータ
Ｂ１〜Ｂ４    押しボタンスイッチ
Ｃ１   りゅうず
【図１】
0006036883.tif 000002
【図２】
0006036883.tif 000003
【図３】
0006036883.tif 000004
【図４】
0006036883.tif 000005
【図５】
0006036883.tif 000006
【図６】
0006036883.tif 000007
【図７】
0006036883.tif 000008
【図８】
0006036883.tif 000009